(57)【要約】【課題】  移動観覧席の構成を簡易にしてその製造コストを低く抑えるとともに、収納位置での高さをコンパクトなものにすることにある。【解決手段】  階段状の展開位置と上下に重なる収納位置との間で移動可能な複数段のひな壇２と、前記各ひな壇上にて使用時形態と収納時形態との間で形態変更可能な複数の椅子１と、を具える移動観覧席において、前記各ひな壇２の先端部に、脚部８で支持した甲板１５を縦方向に収納可能なテーブル７を取り付け、最前部から二番目以降の前記ひな壇の前記テーブルの前記脚部に、前記椅子１の背４と座３を縦方向に収納可能に取り付けたことを特徴とするものである。【選択図】図１
2007092440.tif 000002
【特許請求の範囲】
【請求項１】
階段状の展開位置と上下に重なる収納位置との間で移動可能な複数段のひな壇と、
前記各ひな壇上にて使用時形態と収納時形態との間で形態変更可能な複数の椅子と、
を具える移動観覧席において、
前記各ひな壇の先端部に、脚部で支持した甲板を縦方向に収納可能なテーブルを取り付け、
少なくとも最前部から二番目以降の前記各ひな壇の前記テーブルの前記脚部に、前記椅子の背と座を縦方向に収納可能に取り付けたことを特徴とする、移動観覧席。
【請求項２】
前記テーブルの脚部は、鉛直に延在する使用時姿勢と前方へ傾斜した収納時姿勢との間で揺動可能であることを特徴とする、請求項１記載の移動観覧席。
【請求項３】
前記テーブルの脚部は、後方へ傾斜した使用時姿勢と前方へ傾斜した収納時姿勢との間で揺動可能であることを特徴とする、請求項１記載の移動観覧席。
【発明の詳細な説明】
【技術分野】
【０００１】
この発明は、階段状の展開位置と上下に重なる収納位置との間で移動可能な複数段のひな壇と、前記各ひな壇上にて使用時形態と収納時形態との間で形態変更可能な複数の椅子と、を具える移動観覧席に関し、特には、ひな壇上に椅子を具える移動観覧席としては簡易に構成でき、しかもひな壇の低い段高さを可能にする移動観覧席に関するものである。
【背景技術】
【０００２】
移動観覧席は、体育館や多目的ホール等に用いられるもので、一般に図２５に示すように、横並びに配置された複数の椅子（図では各段一つずつ示す）１を形態変更可能に支持する複数段のひな壇２を具え、それらのひな壇２を、図２５（ａ）に示す如き、使用時の互いに階段状にずれる展開位置と、図２５（ｂ）に示す如き、収納時の互いに上下に重なる収納位置との間で移動させるとともに、その収納位置への移動の際には各ひな壇２上の椅子１を倒れた形態としてひな壇２の上下間隔を少なくすることで全体にコンパクトに纏まって壁際等に収納され、またその展開位置では各ひな壇２上の椅子１を起立した形態として階段状の観覧席を形成する。
【０００３】
ところで、上記のように椅子１の形態を倒れた形態と起立した形態との間で変更するために、従来の移動観覧席は椅子形態変更装置を具えており、この椅子形態変更装置は、図２６（ａ）に示すように椅子１の座３と背４を重ね合わせた状態で、それら座３と背４とを起立させるように、左右に並んだ複数の椅子１の支柱５を繋ぐ図示しない連結管をモータとその出力回転を減速する減速機とからなる回動機構６で回動させて、椅子１を、座３を前に倒すと着座可能になる使用時形態とするとともに、図２６（ｂ）に示すように椅子１の座３と背４を重ね合わせた状態で、それら座３と背４とを倒すように、支柱５を繋ぐ上記連結管を回動機構６で回動させて椅子１を収納時形態として、図２６（ｃ）に示すようにひな壇２の段差の間に椅子１が収まるようにしている。
【０００４】
そしてその移動観覧席の各ひな壇の椅子にテーブルを組み合せる場合は、椅子と別途に各ひな壇の先端部に脚部で支持した甲板を持つテーブルを取り付けていた（例えば本願出願人が先に公開した特許文献１参照）。
【特許文献１】実開平７−１０２６９号公報
【発明の開示】
【発明が解決しようとする課題】
【０００５】
しかしながらかかる従来の移動観覧席では、椅子を収納可能にするために、背及び座以外に、肘および支柱、複数の椅子の支柱を繋ぐ連結管、そして椅子形態変更装置のモータ、減速機、電気制御機器、配線等が必要となって、構成が複雑になるので、製造コストが高いものになる。
【０００６】
また、各ひな壇上に起倒可能に椅子を取り付けているため、ひな壇上に椅子を取り付けていない移動観覧席と比べて、各ひな壇の段高さが高いものになるので、同じ段数でも収納位置での高さが高くなって嵩張るものになる。
【課題を解決するための手段】
【０００７】
この発明は、上記課題を有利に解決することを目的とするものであり、この発明の移動観覧席は、階段状の展開位置と上下に重なる収納位置との間で移動可能な複数段のひな壇と、前記各ひな壇上にて使用時形態と収納時形態との間で形態変更可能な複数の椅子と、を具える移動観覧席において、前記各ひな壇の先端部に、脚部で支持した甲板を縦方向に収納可能なテーブルを取り付け、少なくとも最前部から二番目以降の前記各ひな壇の前記テーブルの前記脚部に、前記椅子の背と座を縦方向に収納可能に取り付けたことを特徴とするものである。
【発明の効果】
【０００８】
かかる移動観覧席にあっては、階段状の展開位置に移動した複数段のひな壇の各々の先端部のテーブルの脚部で支持した甲板を略水平な使用位置に位置させるとともに、少なくとも最前部から二番目以降の各ひな壇の先端部のテーブルの脚部に取り付けた椅子の少なくとも座を移動させて略水平な使用位置に位置させることで、各ひな壇で椅子に着座してテーブルの甲板を使用することが可能になり、またその階段状の展開位置に移動した複数段のひな壇の各々の先端部のテーブルの脚部で支持した甲板を縦方向の収納位置に位置させるとともに、少なくとも最前部から二番目以降の各ひな壇の先端部のテーブルの脚部に取り付けた椅子の少なくとも座を移動させて縦方向の収納位置に位置させることで、各ひな壇を上下に重なる収納位置に移動させることが可能になる。
【０００９】
従って、この発明の移動観覧席によれば、椅子を収納可能にするために、背及び座以外に、肘および支柱、複数の椅子の支柱を繋ぐ連結管、そして椅子形態変更装置のモータ、減速機、電気制御機器、配線等を設ける必要がないため、構成が簡易になるので、製造コストを低く抑えることができる。
【００１０】
また、少なくとも最前部から二番目以降の各ひな壇の先端部のテーブルの脚部に椅子の背と座を取り付けていて各ひな壇上には椅子を取り付けていないため、ひな壇上に椅子を取り付けていない従来の移動観覧席と比べて各ひな壇の段高さが同程度になるので、同じ段数で収納位置での高さもひな壇上に椅子を取り付けていない従来の移動観覧席と同程度のコンパクトなものになる。
【００１１】
なお、この発明の移動観覧席においては、前記テーブルの脚部は、鉛直に延在する使用時姿勢と前方へ傾斜した収納時姿勢との間や、後方へ傾斜した使用時姿勢と前方へ傾斜した収納時姿勢との間で揺動可能であっても良く、このようにすれば、各ひな壇を収納位置に位置させる際にその先端部のテーブルの脚部を前方へ傾斜した収納時姿勢とすることができるので、各ひな壇を前後にずらさずに上下に重ねることができ、ひいては、収納位置での移動観覧席の前後寸法をよりコンパクトにすることができる。
【発明を実施するための最良の形態】
【００１２】
以下に、この発明の実施の形態を実施例によって、図面に基づき詳細に説明する。ここに、図１（ａ），（ｂ）は、この発明の移動観覧席の第１実施例の下から三段分を展開位置および収納位置にそれぞれ移動させた状態で示す側面図、図２（ａ），（ｂ）は、その実施例の移動観覧席のテーブルを透視状態で示す側面図および背面図、そして図３はその実施例の移動観覧席の椅子を示す側面図であり、各側面図中左方が椅子およびひな壇の前方、右方が椅子およびひな壇の後方を示す。また図中従来例と同様の部分はそれと同一の符号にて示す。
【００１３】
すなわち、図中符号１は上記第１実施例の移動観覧席に設けられた椅子、２はその移動観覧席のひな壇、３は椅子１の座、４は椅子１の背をそれぞれ示し、この第１実施例の移動観覧席では、複数段のひな壇２が、図示しない通常の駆動機構により駆動されて、図１（ａ）に示す階段状の展開位置と、図１（ｂ）に示す上下に重なる収納位置との間で移動することができる。
【００１４】
しかしてこの第１実施例の移動観覧席では、各ひな壇２の先端部にその先端部の延在方向に沿って複数のテーブル７が固設されており、ここにおける各テーブル７は、図２（ａ），（ｂ）に示すように、鉛直方向に延在するようにひな壇２に固定された二本の脚部８と、それらの脚部８を一体的に連結するとともに例えば市販のスイベルスクリューからなる甲板ストッパ９を支持する連結部材１０と、二本の脚部８に両端部を固定されてそれらの脚部８の間に配置されるとともに甲板受け１１を支持する甲板受け支持部材１２と、二本の脚部８にそれぞれ固設されたガイド部材としての二本のレール１３に後述の如く左右両端部を昇降可能に支持された甲板支持部材１４と、その甲板支持部材１４の上昇限位置で、図中実線で示す概略水平な使用姿勢と図中仮想線で示す手前を跳ね上げて鉛直にした収納姿勢との間で軸線Ｃ周りに回動可能にその甲板支持部材１４に前端部を支持された甲板１５とを具え、上記収納姿勢にした甲板１５を甲板支持部材１４とともに二本の脚部８に沿ってそれらの脚部８の間に落下させて収納し得るようにしたものである。
【００１５】
このテーブル７はさらに、上記甲板支持部材１４に本体を固定されたロータリダンパ１６と、その甲板支持部材１４に回転可能に支持されてロータリダンパ１６の回転軸に駆動結合されたピニオン１７と、上記脚部８に上記レール１３とともに固定されてピニオン１７と噛合するラック１８と、を具えており、ここで、ラック１８は上記二本の脚部８にそれぞれ沿うように二本設けられ、上記ピニオン１７はそれら二本のラック１８とそれぞれ噛合するように二個設けられて、上記甲板支持部材１４の両端部に設けられたロータリダンパ１６の回転軸にそれぞれ固定されている。
【００１６】
また、上記甲板支持部材１４は、上記二本の脚部８にそれらに沿って延在するようにそれぞれ固定された上記二本のレール１３と、甲板支持部材１４の左右両端部にそれぞれ回転可能に支持されてレール１３によりそれぞれ昇降を案内される片側二個ずつのローラ１９とにより昇降可能に支持されており、それらのローラ１９は、二本の脚部８にそれぞれ設けられた弾性体からなるローラストッパ２０への当接により下降限位置を特定される。
【００１７】
そして、上記ロータリダンパ１６は、上記甲板１５の下降による上記ピニオン１７の回転のみ制動するように図示しないワンウェイクラッチを介してそのピニオン１７に駆動結合されており、そのワンウェイクラッチはここではロータリダンパ１６内に組み込まれている。
【００１８】
かかるテーブル７にあっては、そのテーブル７の甲板１５の使用時は、二本の脚部８の間に配置されてそれらの脚部８のレール１３に左右両端部を昇降可能に支持された甲板支持部材１４を例えば手で持ち上げて上昇限位置まで上昇させるとともに、例えば手で甲板１５を図中仮想線で示す収納姿勢から手前に回動させて倒せば、甲板１５の奥側端部の上下面が甲板ストッパ９と甲板受け１１とにそれぞれ当接して甲板１５がさらなる回動を規制されて図中実線で示す概略水平な使用姿勢となり、またテーブル７の甲板１５の不使用時は、例えば手で甲板１５をその使用姿勢から手前を跳ね上げて図中仮想線で示すレール１３に平行な収納姿勢まで回動させるとともに、その収納姿勢の甲板１５とその下方に連なる甲板支持部材１４とを図示の上昇限位置から、ローラ１９がローラストッパ２０に当接するまで自重で落下させれば、その収納姿勢の甲板１５は二本の脚部８に沿って落下して、二本の脚部８の間に収納される。
【００１９】
そしてその落下の際には、脚部８に固定されたラック１８と噛合する、甲板支持部材１４にロータリダンパ１６を介して回転可能に支持されたピニオン１７の回転が、甲板支持部材１４に本体を固定されてそのピニオン１７に回転軸を駆動結合されたロータリダンパ１６で制動されるので、甲板１５と甲板支持部材１４との落下速度が抑えられて、甲板１５がスライド落下する際の衝撃が緩和される。
【００２０】
従ってこのテーブル７によれば、甲板１５の収納時に甲板１５がスライド落下する際の衝撃をロータリダンパ１６で緩和することができ、しかも、ラック１８とピニオン１７は脚部８内に位置し、ロータリダンパ１６も脚部８内に位置することから、構造がシンプルになって、テーブル７をコンパクトに構成することができ、また、ロータリダンパ１６とピニオン１７とラック１８とを具えてなる衝撃緩和機構への紙等の巻き込みによる故障を有効に防止することができる。
【００２１】
そしてこの実施例では、各テーブル７のうち、最前部から二番目以降のひな壇２のテーブル７の二本の脚部８の前面に上記椅子１が設けられており、ここにおける椅子１は、図３に示すように、座３と背４とを具え、背４は二本の脚部８の前面に固定され、また座３は、その背４の下方にて二本の脚部８の前面にそれぞれ固定された二個のブラケット２１に支持軸２２を介してそれぞれ揺動可能に支持された左右二本の座アーム２３に固定されて、図３中実線で示す略水平な使用時形態と図３中仮想線で示す略鉛直な収納時形態との間で揺動可能とされるとともに、支持軸２２の周りに設けられた図示しないねじりコイルスプリングにより常時附勢されて、人が着座していないときは自動的に上記収納時形態となる。
【００２２】
かかる構成を具えるこの実施例の移動観覧席にあっては、階段状の展開位置に移動した複数段のひな壇２の各々の先端部のテーブル７の脚部８で支持した甲板１５を図１（ａ）に実線で示すように略水平な使用位置に位置させるとともに、最前部から二番目以降の各ひな壇２の先端部のテーブル７の脚部８に取り付けた椅子１の座３を移動させて略水平な使用位置に位置させることで、人が各ひな壇２で椅子１に着座してテーブル７の甲板１５を使用することが可能になり、またその階段状の展開位置に移動した複数段のひな壇２の各々の先端部のテーブル７の脚部８で支持した甲板１５を図１（ａ）に仮想線で示すように持ち上げて落下させて脚部８間の縦方向の収納位置に位置させるとともに、最前部から二番目以降の各ひな壇２の先端部のテーブル７の脚部８に取り付けた椅子１の座３の先端部を持ち上げて回動させて図１（ａ）に仮想線で示すようにそれらの座３を縦方向の収納位置に位置させることで、図１（ｂ）に示すように、各ひな壇２を上下に重なる収納位置に移動させることが可能になる。
【００２３】
従って、この第１実施例の移動観覧席によれば、椅子１を収納可能にするために、背４及び座３以外に、肘および支柱、複数の椅子の支柱を繋ぐ連結管、そして椅子形態変更装置のモータ、減速機、電気制御機器、配線等を設ける必要がないため、構成が簡易になるので、製造コストを低く抑えることができる。
【００２４】
また、最前部以外の各ひな壇２のテーブル７の脚部８に椅子１の背４と座３を取り付けていて各ひな壇２上には椅子１を取り付けていないため、ひな壇上に椅子を取り付けていない従来の移動観覧席と比べて各ひな壇の段高さが同程度になるので、同じ段数で収納位置での高さも、ひな壇上に椅子を取り付けていない従来の移動観覧席と同程度のコンパクトなものになる。
【００２５】
図１（ｃ）は、上記第１実施例の移動観覧席の一変形例の下から三段分を示す側面図であり、この変形例は、各テーブル７の脚部８を図１（ｂ）に示す鉛直方向に延在する使用時姿勢と図１（ｃ）に示す前方に傾斜する収納時姿勢との間で揺動させる、先の回動機構６と同様の構成の揺動機構２３を各ひな壇２に具える点のみ、第１実施例と異なっており、他の点では第１実施例と同一の構成を具えている。なお、このようにテーブルの脚を揺動させる揺動機構は、例えば先の特許文献１に記載されている。
【００２６】
かかる変形例の移動観覧席によれば、先の第１実施例と同様の作用効果が得られる他、図１（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００２７】
図４（ａ），（ｂ）は、この発明の移動観覧席の第２実施例の下から三段分を展開位置および収納位置にそれぞれ移動させた状態で示す側面図、そして図５は、その実施例の移動観覧席のテーブルを透視状態で示す側面図であり、各側面図中左方が椅子およびひな壇の前方、右方が椅子およびひな壇の後方を示す。また図中先の実施例と同様の部分はそれと同一の符号にて示す。
【００２８】
すなわち、図中符号１は上記第２実施例の移動観覧席に設けられた椅子、２はその移動観覧席のひな壇、３は椅子１の座、４は椅子１の背、７はテーブルをそれぞれ示し、この第２実施例の移動観覧席は、テーブル７の構成のみ先の第１実施例と異なっており、他の点では先の第１実施例と同一の構成を具えている。
【００２９】
この第２実施例の移動観覧席における各テーブル７は、図４（ａ），（ｂ）および図５に示すように、鉛直方向に延在するようにひな壇２に固定された二本の脚部８と、それらの脚部８を一体的に連結するここでは図示しない連結部材と、その連結部材に蝶番２５を介して、図５中実線で示す概略水平な使用姿勢と図５中一点鎖線で示すストッパ作動・解除姿勢と図５中仮想線で示す手前を下げて鉛直にした収納姿勢との間で軸線Ｃ周りに回動可能に前端部を支持された甲板１５とを具え、甲板１５を二本の脚部８の間に落下させて収納姿勢で収納し得るようにしたものである。
【００３０】
さらに各テーブル７は、下端部を脚部８に連結されるとともに上端部を甲板１５の下面に連結されたスライドアーム２６と、二本の脚部８を一体的に連結するもう一つの連結部材２７と、甲板１５の下面に固定された弾性体からなるストッパ２８とを具えており、スライドアーム２６は、平坦な筒状のスライドガイド２６ａと、そのスライドガイド２６ａ内に摺動可能に嵌まり合ったスライド部材２６ｂと、スライドガイド２６ａ内に組み込まれた図示しないストッパ機構とを有し、スライド部材２６ｂをその大部分がスライドガイド２６ａから出るまで引き出してから少し押し戻すと、上記ストッパ機構がスライド部材２６ｂを係止してスライドアーム２６を伸張状態に維持し、またその係止状態から、スライド部材２６ｂを一旦引き出してから再度押し戻すと、上記ストッパ機構がスライド部材２６ｂの係止を解除して、スライド部材２６ｂがスライドガイド２６ａ内に押し込まれ、スライドアーム２６が短縮状態となる。なお、このようなスライドアームは、例えば実開昭６３−１４３６６３号公報等により公知である。
【００３１】
このテーブル７にあっては、そのテーブル７の甲板１５の使用時は、二本の脚部８の間に収納された甲板１５の下端部(使用姿勢では手前側端部になる)を例えば手で、図中仮想線で示す収納姿勢から手前に回動させて一旦水平より上の上記ストッパ作動・解除姿勢まで持ち上げてから下ろせば、上記ストッパ機構がスライド部材２６ｂを係止してスライドアーム２６を伸張状態に維持するので、甲板１５がさらなる下降回動を規制されて図中実線で示す概略水平な使用姿勢となり、またテーブル７の甲板１５の不使用時は、例えば手で甲板１５をその使用姿勢から手前を跳ね上げて一旦水平より上の上記ストッパ作動・解除姿勢まで持ち上げてから下ろせば、甲板１５はストッパ２８が連結部材２７に当接するまで回動落下して、二本の脚部８の間に上記収納姿勢で収納される。そして、甲板１５の収納時に甲板１５がスライド落下する際の衝撃は、弾性体からなるストッパ２８が緩和する。
【００３２】
かかる構成を具えるこの第２実施例の移動観覧席によっても、先の第１実施例と同様の作用効果を得ることができる。
【００３３】
図４（ｃ）は、上記第２実施例の移動観覧席の一変形例の下から三段分を示す側面図であり、この変形例は、各テーブル７の脚部８を図４（ｂ）に示す鉛直方向に延在する使用時姿勢と図４（ｃ）に示す前方に傾斜する収納時姿勢との間で揺動させる、先の回動機構６と同様の構成の揺動機構２３を各ひな壇２に具える点のみ、第２実施例と異なっており、他の点では第２実施例と同一の構成を具えている。なお、このようにテーブルの脚を揺動させる揺動機構は、例えば先の特許文献１に記載されている。
【００３４】
かかる変形例の移動観覧席によれば、先の第２実施例と同様の作用効果が得られる他、図４（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００３５】
図６（ａ），（ｂ）は、この発明の移動観覧席の第３実施例の下から三段分を展開位置および収納位置にそれぞれ移動させた状態で示す側面図、そして図７は、その実施例の移動観覧席のテーブルを透視状態で示す側面図であり、各側面図中左方が椅子およびひな壇の前方、右方が椅子およびひな壇の後方を示す。また図中先の実施例と同様の部分はそれと同一の符号にて示す。
【００３６】
すなわち、図中符号１は上記第３実施例の移動観覧席に設けられた椅子、２はその移動観覧席のひな壇、３は椅子１の座、４は椅子１の背、７はテーブルをそれぞれ示し、この第３実施例の移動観覧席は、テーブル７の構成のみ先の第１実施例と異なっており、他の点では先の第１実施例と同一の構成を具えている。
【００３７】
この第３実施例の移動観覧席における各テーブル７は、図６（ａ），（ｂ）および図７に示すように、鉛直方向に延在するようにひな壇２に固定された二本の脚部８と、それらの脚部８を一体的に連結するするとともに例えば市販のスイベルスクリューからなる甲板ストッパ９を支持する連結部材１０と、二本の脚部８に両端部を固定されてそれらの脚部８の間に配置されるとともに甲板受け１１を支持する甲板受け支持部材１２と、二本の脚部８に支持軸２９を介して、図７中実線で示す概略水平な使用姿勢と図７中仮想線で示す手前を上げて鉛直にした収納姿勢との間で軸線Ｃ周りに回動可能に前端部を支持された甲板１５と、スプリングで常時附勢されて甲板１５の両側面から突出し、甲板１５が上記収納姿勢の際に二本の脚部８の凹部８ａに離脱可能に掛合する二本のプランジャ３０とを具え、甲板１５を鉛直に立った収納姿勢とし得るようにしたものである。
【００３８】
このテーブル７にあっては、そのテーブル７の甲板１５の使用時は、二本の脚部８の間で上記収納姿勢とされた甲板１５の上端部(使用姿勢では手前側端部になる)を例えば手で、プランジャ３０を脚部８の凹部８ａから離脱させながら図中仮想線で示す収納姿勢から手前に回動させて倒せば、甲板１５の奥側端部の上下面が甲板ストッパ９と甲板受け１１とにそれぞれ当接して甲板１５がさらなる回動を規制されて図中実線で示す概略水平な使用姿勢となり、またテーブル７の甲板１５の不使用時は、例えば手で甲板１５をその使用姿勢から手前を跳ね上げて鉛直に立った収納姿勢まで回動させれば、二本のプランジャ３０が二本の脚部８の凹部８ａにそれぞれ掛合して甲板１５をその収納姿勢に維持する。
【００３９】
かかる構成を具えるこの第３実施例の移動観覧席によっても、先の第１実施例と同様の作用効果を得ることができる。
【００４０】
図６（ｃ）は、上記第３実施例の移動観覧席の一変形例の下から三段分を示す側面図であり、この変形例は、各テーブル７の脚部８を図６（ｂ）に示す鉛直方向に延在する使用時姿勢と図６（ｃ）に示す前方に傾斜する収納時姿勢との間で揺動させる、先の回動機構６と同様の構成の揺動機構２３を各ひな壇２に具える点のみ、第３実施例と異なっており、他の点では第３実施例と同一の構成を具えている。なお、このようにテーブルの脚を揺動させる揺動機構は、例えば先の特許文献１に記載されている。
【００４１】
かかる変形例の移動観覧席によれば、先の第３実施例と同様の作用効果が得られる他、図６（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００４２】
図８（ａ），（ｂ）は、この発明の移動観覧席の第４実施例の下から三段分を展開位置および収納位置にそれぞれ移動させた状態で示す側面図、そして図９は、その実施例の移動観覧席の椅子を透視状態で示す側面図であり、各側面図中左方が椅子およびひな壇の前方、右方が椅子およびひな壇の後方を示す。また図中先の実施例と同様の部分はそれと同一の符号にて示す。
【００４３】
すなわち、図中符号１は上記第４実施例の移動観覧席に設けられた椅子、２はその移動観覧席のひな壇、３は椅子１の座、４は椅子１の背、７はテーブルをそれぞれ示し、この第４実施例の移動観覧席は、椅子１の構成のみ先の第１実施例と異なっており、他の点では先の第１実施例と同一の構成を具えている。
【００４４】
この第４実施例の移動観覧席における各椅子１は、図８（ａ），（ｂ）および図９に示すように、座３と背４とを具え、ここにおける座３は、二本の脚部８の前面にそれぞれ固定されて脚部８に沿って延在する二個のブラケット２１に支持軸２２を介してそれぞれ揺動可能に支持された左右二本の座アーム２３に固定されて、図３中実線で示す略水平な使用時形態と図３中仮想線で示す略鉛直な収納時形態との間で揺動可能とされている。
【００４５】
また、ここにおける背４は背フレーム３１に固定され、その背フレーム３１は、下端部を二本の座アーム２３に、上記支持軸２２よりもその座アーム２３の先端寄りに位置する連結軸３２を介して連結されるとともに、上端部の両側部にそれぞれローラ１９を設けられ、それらのローラ１９は、二個のブラケット２１にそれぞれ設けられて脚部８に沿って延在する二本のレール１３により昇降移動を案内される。
【００４６】
さらに各椅子１は、二個のブラケット２１に下端部をそれぞれ連結された二本のガススプリング３３を具えており、それらのガススプリング３３の上端部は、ローラ１９の支持軸３４に連結されている。
【００４７】
この椅子１にあっては、人が着座していないときは、背フレーム３１の上端部が二本のガススプリング３３で上方に附勢されてレール１３によるローラ１９の案内下で図中仮想線で示す上昇限位置まで持ち上げられ、これにより背フレーム３１の下端部も持ち上げられて二個のブラケット２１の間まで移動し、背４が自動的に、背フレーム３１とともに二個のブラケット２１の間で鉛直に延在する収納姿勢となるとともに、座３が背フレーム３１の下端部で引き上げられて上方へ回動して、自動的に上記略鉛直な収納時形態となる。
【００４８】
また、座３を上記収納時形態から、例えば手でその前端部を前方へ引き降ろして上記略水平な使用時形態まで前方へ回動させると、背フレーム３１の下端部が二個のブラケット２１の間から前方へ下がりながら移動し、これに伴って背フレーム３１の上端部がレール１３によるローラ１９の案内下で下降して、背４が、背フレーム３１とともに僅かに後傾して延在する使用姿勢となり、その際、二本のガススプリング３３が、背フレーム３１の上端部を上方に附勢して、座３および背４の下降を穏やかなものとする。
【００４９】
かかる構成を具えるこの第４実施例の移動観覧席によっても、先の第１実施例と同様の作用効果を得ることができる。
【００５０】
図８（ｃ）は、上記第４実施例の移動観覧席の一変形例の下から三段分を示す側面図であり、この変形例は、各テーブル７の脚部８を図８（ｂ）に示す鉛直方向に延在する使用時姿勢と図８（ｃ）に示す前方に傾斜する収納時姿勢との間で揺動させる、先の回動機構６と同様の構成の揺動機構２３を各ひな壇２に具える点のみ、第４実施例と異なっており、他の点では第４実施例と同一の構成を具えている。
【００５１】
かかる変形例の移動観覧席によれば、先の第４実施例と同様の作用効果が得られる他、図８（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００５２】
図１０（ａ），（ｂ）は、この発明の移動観覧席の第５実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００５３】
すなわち、図中符号１は上記第５実施例の移動観覧席に設けられた椅子、２はその移動観覧席のひな壇、３は椅子１の座、４は椅子１の背、７はテーブルをそれぞれ示し、この第５実施例の移動観覧席は、テーブル７の構成のみ先の第４実施例と異なっており、他の点では先の第４実施例と同一の構成を具えている。そしてこの第５実施例の移動観覧席における各テーブル７は、先の第２実施例におけるテーブル７と同一構成のものとされている。
【００５４】
かかる構成を具えるこの第５実施例の移動観覧席によっても、先の第４実施例と同様の作用効果を得ることができる。
【００５５】
図１０（ｃ）は、上記第５実施例の移動観覧席の一変形例の下から三段分を示す側面図であり、この変形例は、各テーブル７の脚部８を図１０（ｂ）に示す鉛直方向に延在する使用時姿勢と図１０（ｃ）に示す前方に傾斜する収納時姿勢との間で揺動させる、先の回動機構６と同様の構成の揺動機構２３を各ひな壇２に具える点のみ、第５実施例と異なっており、他の点では第５実施例と同一の構成を具えている。
【００５６】
かかる変形例の移動観覧席によれば、先の第５実施例と同様の作用効果が得られる他、図１０（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００５７】
図１１（ａ），（ｂ）は、この発明の移動観覧席の第６実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００５８】
すなわち、図中符号１は上記第６実施例の移動観覧席に設けられた椅子、２はその移動観覧席のひな壇、３は椅子１の座、４は椅子１の背、７はテーブルをそれぞれ示し、この第６実施例の移動観覧席は、テーブル７の構成のみ先の第４実施例と異なっており、他の点では先の第４実施例と同一の構成を具えている。そしてこの第６実施例の移動観覧席における各テーブル７は、先の第３実施例におけるテーブル７と同一構成のものとされている。
【００５９】
かかる構成を具えるこの第６実施例の移動観覧席によっても、先の第４実施例と同様の作用効果を得ることができる。
【００６０】
図１１（ｃ）は、上記第６実施例の移動観覧席の一変形例の下から三段分を示す側面図であり、この変形例は、各テーブル７の脚部８を図１１（ｂ）に示す鉛直方向に延在する使用時姿勢と図１１（ｃ）に示す前方に傾斜する収納時姿勢との間で揺動させる、先の回動機構６と同様の構成の揺動機構２３を各ひな壇２に具える点のみ、第６実施例と異なっており、他の点では第６実施例と同一の構成を具えている。
【００６１】
かかる変形例の移動観覧席によれば、先の第６実施例と同様の作用効果が得られる他、図１１（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００６２】
図１２（ａ），（ｂ）は、この発明の移動観覧席の第７実施例の下から三段分を展開位置および収納位置にそれぞれ移動させた状態で示す側面図、そして図１３は、その実施例の移動観覧席の椅子を透視状態で示す側面図であり、各側面図中左方が椅子およびひな壇の前方、右方が椅子およびひな壇の後方を示す。また図中先の実施例と同様の部分はそれと同一の符号にて示す。
【００６３】
すなわち、図中符号１は上記第７実施例の移動観覧席に設けられた椅子、２はその移動観覧席のひな壇、３は椅子１の座、４は椅子１の背、７はテーブルをそれぞれ示し、この第７実施例の移動観覧席は、椅子１の構成のみ先の第１実施例と異なっており、他の点では先の第１実施例と同一の構成を具えている。
【００６４】
この第７実施例の移動観覧席における各椅子１は、図１２（ａ），（ｂ）および図１３に示すように、座３と背４とを具え、ここにおける座３は、座フレーム３５に固定され、その座フレーム３５は、二本の脚部８の前面にそれぞれ固定された二個のブラケット２１に二本の支持軸２２を介してそれぞれ後端部を揺動可能に支持された上下二本の左右方向に幅広の座アーム２３の前端部に二本の連結軸２２を介して連結されて非平行四節リンク機構を構成しており、座３は、この非平行四節リンク機構により図１３中実線で示す略水平な使用時形態と図１３中仮想線で示す後端部が上昇した略鉛直な収納時形態との間で揺動可能とされるとともに、上側の支持軸２２の周りに設けられた図示しないねじりコイルスプリングにより常時附勢されて、人が着座していないときは自動的に上記収納時形態となる。また、ここにおける背４は二本の脚部８の前面に固定されている。
【００６５】
この椅子１にあっては、人が着座状態から立ち上がると、座３が自動的に上記使用時形態から上記略鉛直な収納時形態まで上方へ揺動し、また、座３を上記収納時形態から例えば臀部等で下方へ押すと、上記略水平な使用時形態まで前方へ揺動する。
【００６６】
かかる構成を具えるこの第７実施例の移動観覧席によっても、先の第１実施例と同様の作用効果を得ることができる。
【００６７】
図１４（ａ），（ｂ）は、この発明の移動観覧席の第８実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００６８】
すなわち、図中符号１は上記第８実施例の移動観覧席に設けられた椅子、２はその移動観覧席のひな壇、３は椅子１の座、４は椅子１の背、７はテーブルをそれぞれ示し、この第５実施例の移動観覧席は、テーブル７の構成のみ先の第７実施例と異なっており、他の点では先の第７実施例と同一の構成を具えている。そしてこの第８実施例の移動観覧席における各テーブル７は、先の第２実施例におけるテーブル７と同一構成のものとされている。
【００６９】
かかる構成を具えるこの第８実施例の移動観覧席によっても、先の第７実施例と同様の作用効果を得ることができる。
【００７０】
図１５（ａ），（ｂ）は、この発明の移動観覧席の第９実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００７１】
すなわち、図中符号１は上記第９実施例の移動観覧席に設けられた椅子、２はその移動観覧席のひな壇、３は椅子１の座、４は椅子１の背、７はテーブルをそれぞれ示し、この第９実施例の移動観覧席は、テーブル７の構成のみ先の第７実施例と異なっており、他の点では先の第７実施例と同一の構成を具えている。そしてこの第９実施例の移動観覧席における各テーブル７は、先の第３実施例におけるテーブル７と同一構成のものとされている。
【００７２】
かかる構成を具えるこの第９実施例の移動観覧席によっても、先の第７実施例と同様の作用効果を得ることができる。
【００７３】
図１６（ａ），（ｂ）は、この発明の移動観覧席の第１０実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００７４】
すなわち、図中符号１は上記第１０実施例の移動観覧席に設けられた椅子、２はその移動観覧席のひな壇、３は椅子１の座、４は椅子１の背、７はテーブルをそれぞれ示し、この第１０実施例の移動観覧席は、テーブル７の脚部８が僅かに後傾して各ひな壇２の先端部に固定されている点のみ先の第１実施例と異なっており、他の点では先の第１実施例と同一の構成を具えている。
【００７５】
かかる構成を具えるこの第１０実施例の移動観覧席によっても、先の第１実施例と同様の作用効果を得ることができる。
【００７６】
図１６（ｃ）は、上記第１０実施例の移動観覧席の一変形例の下から三段分を示す側面図であり、この変形例は、各テーブル７の脚部８を図１６（ｂ）に示す僅かに後傾する使用時姿勢と図１６（ｃ）に示す前方に傾斜する収納時姿勢との間で揺動させる、先の回動機構６と同様の構成の揺動機構２３を各ひな壇２に具える点のみ、第１０実施例と異なっており、他の点では第１０実施例と同一の構成を具えている。
【００７７】
かかる変形例の移動観覧席によれば、先の第１０実施例と同様の作用効果が得られる他、図１６（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００７８】
図１７（ａ），（ｂ）は、この発明の移動観覧席の第１１実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００７９】
すなわち、図中符号１は上記第１１実施例の移動観覧席に設けられた椅子、２はその移動観覧席のひな壇、３は椅子１の座、４は椅子１の背、７はテーブルをそれぞれ示し、この第１１実施例の移動観覧席は、テーブル７の構成のみ先の第１０実施例と異なっており、他の点では先の第１０実施例と同一の構成を具えている。そしてこの第１１実施例の移動観覧席における各テーブル７は、先の第２実施例におけるテーブル７と同一構成のものとされている。
【００８０】
かかる構成を具えるこの第１１実施例の移動観覧席によっても、先の第１０実施例と同様の作用効果を得ることができる。
【００８１】
図１７（ｃ）は、上記第１１実施例の移動観覧席の一変形例の下から三段分を示す側面図であり、この変形例は、各テーブル７の脚部８を図１７（ｂ）に示す僅かに後傾する使用時姿勢と図１７（ｃ）に示す前方に傾斜する収納時姿勢との間で揺動させる、先の回動機構６と同様の構成の揺動機構２３を各ひな壇２に具える点のみ、第１１実施例と異なっており、他の点では第１１実施例と同一の構成を具えている。
【００８２】
かかる変形例の移動観覧席によれば、先の第１１実施例と同様の作用効果が得られる他、図１７（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００８３】
図１８（ａ），（ｂ）は、この発明の移動観覧席の第１２実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００８４】
すなわち、図中符号１は上記第１２実施例の移動観覧席に設けられた椅子、２はその移動観覧席のひな壇、３は椅子１の座、４は椅子１の背、７はテーブルをそれぞれ示し、この第１２実施例の移動観覧席は、テーブル７の構成のみ先の第１０実施例と異なっており、他の点では先の第１０実施例と同一の構成を具えている。そしてこの第１２実施例の移動観覧席における各テーブル７は、先の第３実施例におけるテーブル７と同一構成のものとされている。
【００８５】
かかる構成を具えるこの第１２実施例の移動観覧席によっても、先の第１０実施例と同様の作用効果を得ることができる。
【００８６】
図１８（ｃ）は、上記第１２実施例の移動観覧席の一変形例の下から三段分を示す側面図であり、この変形例は、各テーブル７の脚部８を図１８（ｂ）に示す僅かに後傾する使用時姿勢と図１８（ｃ）に示す前方に傾斜する収納時姿勢との間で揺動させる、先の回動機構６と同様の構成の揺動機構２３を各ひな壇２に具える点のみ、第１２実施例と異なっており、他の点では第１２実施例と同一の構成を具えている。
【００８７】
かかる変形例の移動観覧席によれば、先の第１２実施例と同様の作用効果が得られる他、図１８（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００８８】
図１９（ａ），（ｂ）は、この発明の移動観覧席の第１３実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００８９】
すなわち、図中符号１は上記第１３実施例の移動観覧席に設けられた椅子、２はその移動観覧席のひな壇、３は椅子１の座、４は椅子１の背、７はテーブルをそれぞれ示し、この第１３実施例の移動観覧席は、テーブル７の脚部８が僅かに後傾して各ひな壇２の先端部に固定されている点のみ先の第４実施例と異なっており、他の点では先の第４実施例と同一の構成を具えている。
【００９０】
かかる構成を具えるこの第１３実施例の移動観覧席によっても、先の第１実施例と同様の作用効果を得ることができる。
【００９１】
図１９（ｃ）は、上記第１３実施例の移動観覧席の一変形例の下から三段分を示す側面図であり、この変形例は、各テーブル７の脚部８を図１９（ｂ）に示す僅かに後傾する使用時姿勢と図１９（ｃ）に示す前方に傾斜する収納時姿勢との間で揺動させる、先の回動機構６と同様の構成の揺動機構２３を各ひな壇２に具える点のみ、第１３実施例と異なっており、他の点では第１３実施例と同一の構成を具えている。
【００９２】
かかる変形例の移動観覧席によれば、先の第１３実施例と同様の作用効果が得られる他、図１９（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００９３】
図２０（ａ），（ｂ）は、この発明の移動観覧席の第１４実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００９４】
すなわち、図中符号１は上記第１４実施例の移動観覧席に設けられた椅子、２はその移動観覧席のひな壇、３は椅子１の座、４は椅子１の背、７はテーブルをそれぞれ示し、この第１４実施例の移動観覧席は、テーブル７の構成のみ先の第１３実施例と異なっており、他の点では先の第１３実施例と同一の構成を具えている。そしてこの第１４実施例の移動観覧席における各テーブル７は、先の第２実施例におけるテーブル７と同一構成のものとされている。
【００９５】
かかる構成を具えるこの第１４実施例の移動観覧席によっても、先の第１３実施例と同様の作用効果を得ることができる。
【００９６】
図２０（ｃ）は、上記第１４実施例の移動観覧席の一変形例の下から三段分を示す側面図であり、この変形例は、各テーブル７の脚部８を図２０（ｂ）に示す僅かに後傾する使用時姿勢と図２０（ｃ）に示す前方に傾斜する収納時姿勢との間で揺動させる、先の回動機構６と同様の構成の揺動機構２３を各ひな壇２に具える点のみ、第１４実施例と異なっており、他の点では第１４実施例と同一の構成を具えている。
【００９７】
かかる変形例の移動観覧席によれば、先の第１４実施例と同様の作用効果が得られる他、図２０（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【００９８】
図２１（ａ），（ｂ）は、この発明の移動観覧席の第１５実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【００９９】
すなわち、図中符号１は上記第１５実施例の移動観覧席に設けられた椅子、２はその移動観覧席のひな壇、３は椅子１の座、４は椅子１の背、７はテーブルをそれぞれ示し、この第１５実施例の移動観覧席は、テーブル７の構成のみ先の第１３実施例と異なっており、他の点では先の第１３実施例と同一の構成を具えている。そしてこの第１５実施例の移動観覧席における各テーブル７は、先の第３実施例におけるテーブル７と同一構成のものとされている。
【０１００】
かかる構成を具えるこの第１５実施例の移動観覧席によっても、先の第１３実施例と同様の作用効果を得ることができる。
【０１０１】
図２１（ｃ）は、上記第１５実施例の移動観覧席の一変形例の下から三段分を示す側面図であり、この変形例は、各テーブル７の脚部８を図２１（ｂ）に示す僅かに後傾する使用時姿勢と図２１（ｃ）に示す前方に傾斜する収納時姿勢との間で揺動させる、先の回動機構６と同様の構成の揺動機構２３を各ひな壇２に具える点のみ、第１５実施例と異なっており、他の点では第１５実施例と同一の構成を具えている。
【０１０２】
かかる変形例の移動観覧席によれば、先の第１５実施例と同様の作用効果が得られる他、図２１（ｃ）に示すように、収納位置で各ひな壇２の収納時姿勢のテーブル７が上下に重なり得るので、収納位置で各ひな壇２が前後にずれることなく上下に重なることができ、これにより、収納位置での移動観覧席の奥行きもコンパクトなものとすることができる。
【０１０３】
図２２（ａ），（ｂ）は、この発明の移動観覧席の第１６実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【０１０４】
すなわち、図中符号１は上記第１６実施例の移動観覧席に設けられた椅子、２はその移動観覧席のひな壇、３は椅子１の座、４は椅子１の背、７はテーブルをそれぞれ示し、この第１６実施例の移動観覧席は、テーブル７の脚部８が僅かに後傾して各ひな壇２の先端部に固定されている点のみ先の第７実施例と異なっており、他の点では先の第７実施例と同一の構成を具えている。
【０１０５】
かかる構成を具えるこの第１６実施例の移動観覧席によっても、先の第１実施例と同様の作用効果を得ることができる。
【０１０６】
図２３（ａ），（ｂ）は、この発明の移動観覧席の第１７実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【０１０７】
すなわち、図中符号１は上記第１７実施例の移動観覧席に設けられた椅子、２はその移動観覧席のひな壇、３は椅子１の座、４は椅子１の背、７はテーブルをそれぞれ示し、この第１７実施例の移動観覧席は、テーブル７の構成のみ先の第１６実施例と異なっており、他の点では先の第１６実施例と同一の構成を具えている。そしてこの第１７実施例の移動観覧席における各テーブル７は、先の第２実施例におけるテーブル７と同一構成のものとされている。
【０１０８】
かかる構成を具えるこの第１７実施例の移動観覧席によっても、先の第１６実施例と同様の作用効果を得ることができる。
【０１０９】
図２４（ａ），（ｂ）は、この発明の移動観覧席の第１８実施例の下から三段分を展開位置および収納位置にそれぞれ移動させた状態で示す側面図であり、各側面図中左方が椅子およびひな壇の前方、右方が椅子およびひな壇の後方を示す。また図中先の実施例と同様の部分はそれと同一の符号にて示す。
【０１１０】
すなわち、図中符号１は上記第１８実施例の移動観覧席に設けられた椅子、２はその移動観覧席のひな壇、３は椅子１の座、４は椅子１の背、７はテーブルをそれぞれ示し、この第１８実施例の移動観覧席は、テーブル７の構成のみ先の第１６実施例と異なっており、他の点では先の第１６実施例と同一の構成を具えている。そしてこの第１８実施例の移動観覧席における各テーブル７は、先の第３実施例におけるテーブル７と同一構成のものとされている。
【０１１１】
かかる構成を具えるこの第１８実施例の移動観覧席によっても、先の第１６実施例と同様の作用効果を得ることができる。
【０１１２】
以上、図示例に基づき説明したが、この発明は上述の例に限定されるものでなく、特許請求の範囲の記載範囲内で適宜変更することができ、例えば、最前部のひな壇２の先端部のテーブル７の脚部８にも椅子１を設けて、最前部のひな壇２の前方に別途配置したテーブルと組合せても良い。またテーブルや椅子は上記実施例以外の構成のものでも良く、例えば椅子の座は、略水平な使用時形態と略鉛直な収納時形態との間で、着座者が揺動させるものでも良い。
【図面の簡単な説明】
【０１１３】
【図１】（ａ），（ｂ）は、この発明の移動観覧席の第１実施例の下から三段分を展開位置および収納位置にそれぞれ移動させた状態で示す側面図、（ｃ）は、その実施例の移動観覧席の一変形例を示す側面図である。
【図２】（ａ），（ｂ）は、上記第１実施例の移動観覧席のテーブルを示す側面図および背面図である。
【図３】上記第１実施例の移動観覧席の椅子を示す側面図である。
【図４】（ａ），（ｂ）は、この発明の移動観覧席の第２実施例の下から三段分を展開位置および収納位置にそれぞれ移動させた状態で示す側面図、（ｃ）は、その実施例の移動観覧席の一変形例を示す側面図である。
【図５】上記第２実施例の移動観覧席のテーブルを示す側面図である。
【図６】（ａ），（ｂ）は、この発明の移動観覧席の第３実施例の下から三段分を展開位置および収納位置にそれぞれ移動させた状態で示す側面図、（ｃ）は、その実施例の移動観覧席の一変形例を示す側面図である。
【図７】上記第３実施例の移動観覧席のテーブルを示す側面図である。
【図８】（ａ），（ｂ）は、この発明の移動観覧席の第４実施例の下から三段分を展開位置および収納位置にそれぞれ移動させた状態で示す側面図、（ｃ）は、その実施例の移動観覧席の一変形例を示す側面図である。
【図９】上記第４実施例の移動観覧席の椅子を示す側面図である。
【図１０】（ａ），（ｂ）は、この発明の移動観覧席の第５実施例の下から三段分を展開位置および収納位置にそれぞれ移動させた状態で示す側面図、（ｃ）は、その実施例の移動観覧席の一変形例を示す側面図である。
【図１１】（ａ），（ｂ）は、この発明の移動観覧席の第６実施例の下から三段分を展開位置および収納位置にそれぞれ移動させた状態で示す側面図、（ｃ）は、その実施例の移動観覧席の一変形例を示す側面図である。
【図１２】（ａ），（ｂ）は、この発明の移動観覧席の第７実施例の下から三段分を展開位置および収納位置にそれぞれ移動させた状態で示す側面図である。
【図１３】上記第７実施例の移動観覧席の椅子を示す側面図である。
【図１４】（ａ），（ｂ）は、この発明の移動観覧席の第８実施例の下から三段分を展開位置および収納位置にそれぞれ移動させた状態で示す側面図である。
【図１５】（ａ），（ｂ）は、この発明の移動観覧席の第９実施例の下から三段分を展開位置および収納位置にそれぞれ移動させた状態で示す側面図である。
【図１６】（ａ），（ｂ）は、この発明の移動観覧席の第１０実施例の下から三段分を展開位置および収納位置にそれぞれ移動させた状態で示す側面図、（ｃ）は、その実施例の移動観覧席の一変形例を示す側面図である。
【図１７】（ａ），（ｂ）は、この発明の移動観覧席の第１１実施例の下から三段分を展開位置および収納位置にそれぞれ移動させた状態で示す側面図、（ｃ）は、その実施例の移動観覧席の一変形例を示す側面図である。
【図１８】（ａ），（ｂ）は、この発明の移動観覧席の第１２実施例の下から三段分を展開位置および収納位置にそれぞれ移動させた状態で示す側面図、（ｃ）は、その実施例の移動観覧席の一変形例を示す側面図である。
【図１９】（ａ），（ｂ）は、この発明の移動観覧席の第１３実施例の下から三段分を展開位置および収納位置にそれぞれ移動させた状態で示す側面図、（ｃ）は、その実施例の移動観覧席の一変形例を示す側面図である。
【図２０】（ａ），（ｂ）は、この発明の移動観覧席の第１４実施例の下から三段分を展開位置および収納位置にそれぞれ移動させた状態で示す側面図、（ｃ）は、その実施例の移動観覧席の一変形例を示す側面図である。
【図２１】（ａ），（ｂ）は、この発明の移動観覧席の第１５実施例の下から三段分を展開位置および収納位置にそれぞれ移動させた状態で示す側面図、（ｃ）は、その実施例の移動観覧席の一変形例を示す側面図である。
【図２２】（ａ），（ｂ）は、この発明の移動観覧席の第１６実施例の下から三段分を展開位置および収納位置にそれぞれ移動させた状態で示す側面図である。
【図２３】（ａ），（ｂ）は、この発明の移動観覧席の第１７実施例の下から三段分を展開位置および収納位置にそれぞれ移動させた状態で示す側面図である。
【図２４】（ａ），（ｂ）は、この発明の移動観覧席の第１８実施例の下から三段分を展開位置および収納位置にそれぞれ移動させた状態で示す側面図である。
【図２５】（ａ）は、各床台上に配置された椅子と、各床台上に設けられて椅子の形態を変更する椅子形態変更装置とを具えた従来の収納式観覧席を床台の展開使用状態で示す側面図、（ｂ）は、その収納式観覧席を床台の重合収納状態で示す側面図である。
【図２６】（ａ）〜（ｃ）は、図２５に示す従来の収納式観覧席の床台の展開使用状態と重合収納状態との間の移動に伴う上記椅子形態変更装置の作動を示す説明図である。
【符号の説明】
【０１１４】
１  椅子
２  ひな壇
３  座
４  背
５  支柱
６  回動機構
７  テーブル
８  脚部
８ａ  凹部
９  甲板ストッパ
１０  連結部材
１１  甲板受け
１２  甲板受け支持部材
１３  レール
１４  甲板支持部材
１５  甲板
１６  ロータリダンパ
１７  ピニオン
１８  ラック
１９  ローラ
２０  ローラストッパ
２１  ブラケット
２２  支持軸
２３  座アーム
２４  揺動機構
２５  蝶番
２６  スライドアーム
２６ａ  スライドガイド
２６ｂ  スライド部材
２７  連結部材
２８  ストッパ
２９  支持軸
３０  プランジャ
３１  背フレーム
３２  連結軸
３３  ガススプリング
３４  支持軸
３５  座フレーム
【図１】
2007092440.tif 000003
【図２】
2007092440.tif 000004
【図３】
2007092440.tif 000005
【図４】
2007092440.tif 000006
【図５】
2007092440.tif 000007
【図６】
2007092440.tif 000008
【図７】
2007092440.tif 000009
【図８】
2007092440.tif 000010
【図９】
2007092440.tif 000011
【図１０】
2007092440.tif 000012
【図１１】
2007092440.tif 000013
【図１２】
2007092440.tif 000014
【図１３】
2007092440.tif 000015
【図１４】
2007092440.tif 000016
【図１５】
2007092440.tif 000017
【図１６】
2007092440.tif 000018
【図１７】
2007092440.tif 000019
【図１８】
2007092440.tif 000020
【図１９】
2007092440.tif 000021
【図２０】
2007092440.tif 000022
【図２１】
2007092440.tif 000023
【図２２】
2007092440.tif 000024
【図２３】
2007092440.tif 000025
【図２４】
2007092440.tif 000026
【図２５】
2007092440.tif 000027
【図２６】
2007092440.tif 000028